(57)【要約】      （修正有）【課題】浴槽の大きさに応じて温浴剤入り容器の個数を増減することのできる温浴器を提供する。【解決手段】通水孔５を有し且つ内部に温浴剤２を収容している複数個の容器３と、容器３，３同士を着脱可能に連結している連結具４とを備えている。２個の容器３，３を上下に数珠繋ぎ状に連結する場合、下側の容器３には黄土セラミックボール、遠赤外線セラミックボール等のように重くて湯水に沈む温浴剤２を袋７に入れて収容し、上側の容器３には、水溶性の有機ゲルマニウムや、ビタミンＣ、カプサイシンなどが配合されたボール状の温浴剤２を袋７に入れて収容する。このようにすれば、水溶性の有機ゲルマニウムや、ビタミンＣ、カプサイシンなどが配合されたボール状の温浴剤２は、湯水より軽いため浮こうとし、これによて上下の容器３，３が湯水中で上下方向一列になって邪魔にならない。【選択図】図１
2008114001.tif 000002
【特許請求の範囲】
【請求項１】
通水孔を有し且つ内部に温浴剤を収容している複数個の容器と、容器同士を着脱可能に連結している連結具とを備えていることを特徴とする温浴器。
【請求項２】
前記容器は半球状の上下ケースを開閉可能に突き合わせ接合して中空球状に形成し、前記上ケースの半球面中央上部及び前記下ケースの半球面中央下部にそれぞれ連結孔を設けており、前記連結具はピン部と、ピン部の両端側にそれぞれ前記連結孔に対し係脱可能に形成された周溝部とを有する形に形成している請求項１記載の温浴器。
【請求項３】
前記連結具が、弾力性のあるエラストマーで構成されている請求項２記載の温浴器。
【発明の詳細な説明】
【技術分野】
【０００１】
本発明は、ゲルマニウム温浴等で代表され、浴槽に浸漬して温浴効果を高める温浴器に関する。
【背景技術】
【０００２】
この種の温浴器は、一般に通水孔を有するステンレスやプラスチック製の容器の中にゲルマニウムやラジウム等の温浴剤を収容している（例えば、特許文献１、２参照。）。
【０００３】
【特許文献１】実開昭６１−６７７４９号公報
【特許文献２】実開昭６２−６６６６３号公報
【発明の開示】
【発明が解決しようとする課題】
【０００４】
しかしながら、単一の容器に温浴剤の全てが収容されている上記温浴器では浴槽の容積の大小に応じた各種大きさのものを用意しておく必要があり、コスト高になる。かと言って、浴槽中に温浴器を浴槽の大きさに合わせてその複数個をばらばらに浸漬するとなると、浴槽の中を狭くしてしまい、太ももや背中などにあたり窮屈感があり、リラクゼーションの妨げになる。
【０００５】
本発明は、このような問題を解決するためになされたもので、浴槽の大きさに応じて温浴剤入り容器の個数を増減することのできる温浴器を提供することを目的とする。
【課題を解決するための手段】
【０００６】
本発明の温浴器は、通水孔を有し且つ内部にゲルマニウム等の温浴剤を収容している複数個の容器と、容器同士を着脱可能に連結している連結具とを備えていることに特徴を有するものである。
このように構成された温浴器によれば、温浴剤の入っている容器どうしを連結具でもって着脱することにより容器の個数を浴槽の大きさに合わせて簡単に増やしたり減らしたりすることができる。
【０００７】
一つの好適な態様として、本発明による温浴器は、前記容器を半球状の上下ケースを開閉可能に突き合わせ接合して中空球状に形成し、前記上ケースの半球面中央上部及び前記下ケースの半球面中央下部にそれぞれ連結孔を設けており、前記連結具はピン部と、ピン部の両端側にそれぞれ前記連結孔に対し係脱可能に形成された周溝部とを有する形に形成したものとすることができる。これによれば、容器が球状に形成されていることにより入浴時に肌に触れても違和感を少なく、また容器を開閉可能とすることにより温浴剤の補充や交換を可能にする。さらに、連結具の周溝部を容器側の連結孔に係脱させることにより容器に対し連結具を簡単に着脱することができる。更に又、複数個の容器も数珠繋ぎ状にまとまった状態に連結することができるため、浴槽の中を可及的に狭くすることなく、浸漬することができる。また、前記連結具としては、容器に対して容易な着脱と確実な連結を確保するために、弾力性のあるエラストマーで構成するのが好ましい。
【発明の効果】
【０００８】
本発明によれば、同一寸法、同一形状の容器および連結具を量産化でき、使用に際しその個数を増減するだけで各種大きさの浴槽に対応することができるため、経済的に使用できる。
【発明を実施するための最良の形態】
【０００９】
以下、本発明に係る温浴器の好適な実施例を図面に基づき説明する。
【００１０】
図１に示すように、本発明に係る温浴器１は、内部に温浴剤２を収容する複数個の容器３と、容器３，３同士を着脱可能に連結している連結具４とを備える。各容器３は、ＰＣ、ＨＩＰＳ、ＰＭＭＡ等プラスチック製の半球状の上下ケース３ａ，３ｂを開閉可能に突き合わせ接合して中空球状に形成してなる。図２〜図６に示すように、半球状の上下ケース３ａ，３ｂにはそれぞれ湯水が出入りする通水孔５を１個もしくは複数個設けている。上下ケース３ａ，３ｂを開閉可能に突き合わせ接合する手段としては、図示省略するが、上下ケース３ａ，３ｂのうち一方の上ケース３ａ又は下ケース３ｂの開口端縁の外周に設けた少なくとも一対の突起を、もう一方の下ケース３ｂ又は上ケース３ａの開口端縁の内周に前記突起に対応すべく設けた少なくとも一対のＬ形状の溝に係合させるバヨネット結合や、上下ケース３ａ，３ｂのうち一方の上ケース３ａ又は下ケース３ｂの開口端縁の内周に設けた雌ねじをもう一方の下ケース３ｂ又は上ケース３ａの開口端縁の外周に設けた雄ねじに螺合させるねじ結合等が採用される。
【００１１】
２個以上の容器３を連結具４で着脱可能に連結するにあたっては、図４、図５に示すように、各容器３の上ケース３ａの半球面中央上部及び下ケース３ｂの半球面中央下部にそれぞれ径大円形孔部６ａと径小円形部６ｂを有する鍵穴形状の連結孔６を設ける。一方、図１に示すように、連結具４はウレタンエラストマー等のプラスチックでもって中ほどが細く括れた形状のピン部４ａと、ピン部４ａの両端側にそれぞれ径大円形孔部６ａに対し出し入れ可能に且つ径小円形孔部６ｂより径大に形成された抜止め突起４ｂ、及び径小円形孔部６ｂに対し係脱可能に形成された周溝部４ｃとを有する形に成形している。かくして、例えば、２個の容器３，３のうち一方の容器３の下ケース３ｂの径大円形孔部６ａに連結具４の一端側の抜止め突起４ｂを入れた後連結具４を径小円形孔部６ｂの方向へ移動させて周溝部４ｃを径小円形孔部６ｂの内周縁に係合させ、もう一方の容器３の上ケース３ｂの径大円形孔部６ａに連結具４の他端側の抜止め突起４ｂを入れた後連結具４を径小円形孔部６ｂの方向へ移動させて周溝部４ｃを径小円形孔部６ｂの内周縁に係合させることにより、図１、図７に示すように２個の容器３，３が上下に数珠繋ぎ状に連結される。それと同じ要領でもって３個以上の容器３を２個以上の連結具４を用いて上下に数珠繋ぎ状に連結することができる。因みに、こうした連結操作はゴム状弾性を有するエラストマーで形成されている連結具４を使用することによりその弾性を利用して容器３，３どうしを容易にかつ確実に連結することができる。
【００１２】
各容器３の内部に収容される温浴剤２としては、３２度以上になると活性化してマイナスイオンを放出して肩こり、腰痛、疲れ、不眠等に効くゲルマニウム鉱石あるいは有機ゲルマニウムが用いられ、また、ビタミンＣや体温上昇・発汗作用のあるカプサイシンが配合されたものも用いられ、他方、新陳代謝の向上など温浴効果を高める遠赤外線を発生する黄土セラミックボールや遠赤外線セラミックボール、血行促進、疲労回復などに効果のあるラジウムボールなどが用いられる。これら温浴剤２は適宜配合して不織布や布製の袋７に入れて容器３の中に収容される。たとえば、図１に示すように、２個の容器３，３を上下に数珠繋ぎ状に連結する場合、下側の容器３には黄土セラミックボール、遠赤外線セラミックボール等のように重くて湯水に沈む温浴剤２を袋７に入れて収容し、上側の容器３には、水溶性の有機ゲルマニウムや、ビタミンＣ、カプサイシンなどが配合されたボール状の温浴剤２を袋７に入れて収容する。このようにすれば、水溶性の有機ゲルマニウムや、ビタミンＣ、カプサイシンなどが配合されたボール状の温浴剤２は、湯水より軽いため浮こうとし、これによて上下の容器３，３が湯水中で上下方向一列になって邪魔にならず、さらには水溶性の有機ゲルマニウム等が何回か使用しているうちに湯水に解けて無くなった時には、たとえば上側の容器３のみを連結具４から取り外して新しいものを再度連結すれば交換も簡単に行うことができるものである。
【００１３】
最上段側の容器３には、図７に示すように、浴槽８に吸着自在な吸盤９を耐水性の紐１０で取り付ける。紐１０は上ケース３ａの通水孔５を利用して該通水孔５に通すことにより容器３にくくり付けることができる。
【００１４】
このように構成された温浴器１は浴槽８に吸盤９を吸着することで浴槽８内の湯水１１に浸漬して使用され、浴槽８の大きさに合った容器３の個数だけ連結具４で数珠繋ぎに連結して使用することができる。
【図面の簡単な説明】
【００１５】
【図１】本発明の一実施例を示す温浴器の断面図である。
【図２】同温浴器の容器の正面図である。
【図３】同温浴器の容器の背面図である。
【図４】同温浴器の容器の平面図である。
【図５】同温浴器の容器の底面図である。
【図６】同温浴器の容器の左側面図である。
【図７】同温浴器の使用状態を示す斜視図である。
【符号の説明】
【００１６】
１  温浴器
２  温浴剤
３  容器
４  連結具
５  通水孔
【図１】
2008114001.tif 000003
【図２】
2008114001.tif 000004
【図３】
2008114001.tif 000005
【図４】
2008114001.tif 000006
【図５】
2008114001.tif 000007
【図６】
2008114001.tif 000008
【図７】
2008114001.tif 000009